(57)【要約】【解決手段】接合領域４に対応して互いに横方向で接続され、各々が内面１０と外面１１とを有する、層状の材料でできた複数のセグメント３を有している実質的にクラッシックな裁断による衣服アイテム。衣服アイテム１は、層状の材料の少なくとも第１のセグメント１３と第２のセグメント１４とよって区別された、少なくとも接合領域４の一部分に対応した、弾性変形可能な材料でできた部分１２を有する。この部分は、層状の材料の第１並びに第２のセグメント１３、１４間に介在されている。この弾性部分１２は、衣服アイテムを着用した者の動きが容易になるように、第１並びに第２のセグメント１３、１４が、実質的に近接した第１の位置から、離れた第２の位置へ移動するのを可能にする。弾性部分１２は、接合領域４の全域に沿って延び得る。
2005503496.tif 000002
【特許請求の範囲】
【請求項１】
層状の材料でできた複数のセグメント（３）を具備し、これらセグメントは接合領域（４）に対応して互いに横方向で接続され、内面（１０）並びに外面（１１）を有する実質的にクラッシックな裁断による衣服アイテムにおいて、少なくとも第１のセグメント（１３）と第２のセグメント（１４）とによって区別されている前記少なくとも１つの接合領域（４）に対応した、弾性変形可能な材料でできた部分（１２）を具備し、前記部分（１２）は、層状の材料でできた第１のセグメント（１３）と第２のセグメントと（１４）とに関連するようにこれらの間に介在され、また、前記弾性変形可能な材料でできた部分（１２）は、前記第１のセグメント（１３）と第２のセグメント（１４）とが、実質的に近接している第１の位置から、実質的に離れている第２の位置へと、衣服アイテムを着用している者の動きを容易にするように動くことを可能にすることを特徴とする、衣服アイテム。
【請求項２】
弾性材でできた前記部分（１２）は、接合領域（４）の全域に沿って延びていることを特徴とする、請求項１に記載の衣服アイテム。
【請求項３】
弾性材でできた前記部分（１２）は、前記セグメント（１３）並びに（１４）の各々に対して独立して縫い合わされていることを特徴とする、先行の請求項のいずれか1に記載の衣服アイテム。
【請求項４】
弾性材でできた前記部分（１２）は、前記セグメント（１３）並びに（１４）の内面（１０）に縫い合わされていることを特徴とする、請求項３に記載の衣服アイテム。
【請求項５】
弾性材でできた前記部分（１２）は、前記セグメント（１３）並びに（１４）の外面（１１）に縫い合わされていることを特徴とする、請求項４に記載の衣服アイテム。
【請求項６】
前記外面（１１）は、衣服アイテム（１）自体の内側に向かって折り返されていることを特徴とする、請求項５に記載の衣服アイテム。
【請求項７】
弾性材でできた前記部分（１２）は、衣服アイテム（１）自体と内部で前記セグメント（１３）並びに（１４）と関連されていることを特徴とする、先行の請求項のいずれか1に記載の衣服アイテム。
【請求項８】
前記第１の位置と対応して、前記セグメント（１３）並びに（１４）が、前記衣服アイテム（１）の外側から見た際に隠れるような第１の位置にあるとき、弾性材でできた前記部分（１２）が、完全に前記セグメント（１３）並びに（１４）に向き合うことを特徴とする、請求項７に記載の衣服アイテム。
【請求項９】
前記弾性的な部分（１２）は、セグメント（３）を構成しているのと同じ材料でできた片と、この片自体と前記セグメント（３）との間を縫い合わせている２つの縫糸（１５）とによって構成されていることを特徴とする、先行の請求項のいずれか1に記載の衣服アイテム。
【請求項１０】
弾性材でできた複数の部分（１２）を具備し、これら部分は少なくとも相応のセグメント（３）間の接合領域（４）に対応して各々が位置されていることを特徴としている、先行の請求項のいずれか１に記載の衣服アイテム。
【請求項１１】
第１の接合領域（４）に対応して挿入された少なくとも1つの弾性材でできた部分（１２）が、延長領域（１６）に対応して、第２の接合領域（４）内に挿入されたもう一方の弾性的な部分（１２）によって、引き延ばされることを特徴とする、先行の請求項のいずれか1に記載の衣服アイテム。
【発明の詳細な説明】
【技術分野】
【０００１】
本発明は、請求項1の序文に表された特徴を有する種類の衣服アイテムに関する。また、本発明は、ズボン、スカート、ジャケット、スーツ（ジャケット-ズボンまたはジャケット-スカート）、コート（長い外套、４分の３丈の外套、レインコート等）、そしてこの他のような、実質的にクラッシックな裁断による衣服アイテムに適用されるように定められている。
【０００２】
本発明は、また、帽子、手袋、またはハンドバッグのようなアクセサリーの製造においても、依然実質的にクラッシックなセクター内としての適用を見出せる。
【背景技術】
【０００３】
従来の衣服アイテムは、アイテムに所要の形状を与えるような方法で縫い合わされた布、皮もしくは他の材料でできた多数のセグメントによって、構成されている。
【０００４】
特に、本発明が好ましくは定められているクラッシックな種類のアイテムは、実質的に伸縮性の無い材料によって構成されており、着用者の体に最も合うように形成されている。
【０００５】
しかしながら、前述のクラッシック裁断による衣服アイテムの構造は、着用者の動きをかなり制限するので、あまり快適にはなり得ない。
【発明の開示】
【発明が解決しようとする課題】
【０００６】
例えば、ジャケットは、これ自体の構造により、いくつかの基本的な動き以上に腕を動かすのを妨げている。
【０００７】
従来のジャケットが着用されたときは、例えば通常の洗面器で手を洗うような最も単純な動きでさえ困難になり得る。
【０００８】
あまり無理をし過ぎると、ジャケットを損傷するという恐れが常にある。
【０００９】
この理由により、ジャケットを着用している者で、例えば車を特に長距離間運転しなくてはならいような者は、動きがずっと自由になるように、自分自身のジャケットをまず脱ぐことを好む。
【００１０】
同様の問題に、クラッシック裁断による他の衣服アイテムの中でも直面させられる。
【課題を解決するための手段】
【００１１】
このような状況で、本発明の基本を構成している技術的課題は、前述の欠点を克服するような、実質的にクラッシックな裁断による衣服アイテムを提供することである。
【００１２】
特に、本発明の技術的課題は、従来のアイテムよりも快適であるような実質的にクラッシックな裁断による衣服アイテムを入手することである。
【発明を実施するための最良の形態】
【００１３】
本発明の更なる特徴並びに効果は、添付の図面によって説明された、本発明による衣服アイテムのいくつかの好ましいが限定的ではない実施形態の詳細な叙述から容易に明らかになるであろう。
【００１４】
添付の図面に関しては、参照符号１は、本発明に係る衣服アイテムを全体を通して示している。
【００１５】
本発明が好ましくは定めている衣服アイテム１は、記述したように、実質的にクラッシックな裁断によるアイテムである。
【００１６】
従って、本発明は、帽子、手袋、またはハンドバッグのようなアクセサリーの製造のみならず、ズボン、スカート、ジャケット、スーツ（ジャケット-ズボンまたはジャケット-スカート）、コート（長い外套、４分の３丈の外套、レインコート等）、そしてこの他の製造においても適用できる。
【００１７】
添付の図１ないし３は、一例としてジャケット２の場合を示している。
【００１８】
一般的に、衣服アイテム１は、接合領域４に対応して互いに横方向で接続されている層状の材料でできた複数のセグメント３から構成されている。
【００１９】
これらセグメント３は、あらゆる種類の布（羊毛、亜麻布、綿等）、皮、もしくはこれら以外の実質的に伸縮性の無い材料によって構成され得る。
【００２０】
図１ないし３に示される場合においては、ジャケット２は、１０個の主要なセグメント３を具備しており、これらには他のいくつかの仕上げセグメント（カラーやポケット等）が追加して付けられている。これら主要なセグメントでは、２つの正面セグメント５と、２つの背面セグメント６と、２つのフランク７と、スリーブの２つの上部パーツ８と、スリーブの２つの下部パーツ９とに区別されている。
【００２１】
セグメント３の各々は、内面１０と外面１１とを有している。
【００２２】
一般的には、衣服アイテム１は、弾性変形可能な材料でできた部分１２を少なくとも有している。この部分は、層状の材料でできた第１のセグメント１３と第２のセグメント１４と間に介在されており、少なくともこの２つのセグメント１３、１４間の、接合領域４の一部分に少なくとも対応している。
【００２３】
効果的には、好ましい実施形態では、弾性材でできた部分１２は、接合領域４の全域に沿って延びている。（図１ないし３）
更に、好ましい実施形態では、衣服アイテム1は、層状の材料でできた少なくとも２つのセグメント３の間の接合領域４に対応して、各々が位置されている弾性変形可能な材料でできた複数の部分１２を有している。
【００２４】
添付の図に示されているジャケット２は、主要な接合領域４の全域に沿って挿入された、弾性材でできた９つの部分１２を有している。
【００２５】
これら弾性材でできた部分１２の各々は、第１のセグメント１３と第２のセグメント１４との動きを可能にしている。この部分は、前記セグメント１３、１４が、実質的に互いに隣接して位置されている第１の位置から（図1並びに２）、逆にこれらのセグメントが離れて衣服アイテム１自体を着用する者（図３）の動きを容易にする第２の位置へ動かされる。
【００２６】
好ましくは、弾性材でできた部分１２は、この部分１２を規定しているセグメント３に縫い合わされている。特に、この部分１２は従来の縫い目に取って替わり、２つの隣接したセグメント３間の唯一の結合部材を構成している。
【００２７】
この目的のため、弾性材でできた部分は、この部分の境界を定めているセグメント３の各々に対して独立して縫い合わされている。
【００２８】
第１の実施形態では、弾性材でできた部分１２は、セグメント３の内面１０に縫い合わされている。この場合、縫い目を作っている縫糸１５は、衣服アイテム１の外側に目に見える。（図６）
第２の実施形態では、弾性材でできた部分１２は、図４、５並びに７に示されるように、衣服アイテム1自体の内側に向けて折り返され、セグメント３の外面１１に縫い合わされている。この場合、縫糸１５は、外観上目に見えない。
【００２９】
好ましい実施形態によると、弾性材でできた部分１２は、どのような場合もセグメント３に関連されており、衣服アイテム１に対して内部で関連して、また、セグメント３が、第１の位置と対応しているとき、弾性材でできた部分１２が、セグメント３自体と完全に向き合い得るような方法でなされる。このようにして、衣服アイテム１の外側からは部分１２は目に付かないままであり得る。
【００３０】
しかし、これは義務的なものではない。実際、弾性材でできた部分１２の一部分は、図４ないし７に示される場合のように、常に見えていても問題はない。
【００３１】
衣服アイテム１の変形に耐える性能を増加させるために、弾性材でできた部分１２によって形成された異なる接合領域４は、第１の接合領域４に対応して挿入された弾性部分１２が、第２の接合領域４に挿入された弾性部分１２によって引き延ばされるようにして、互いに接合される。
【００３２】
これは、例えば図１ないし３に示されている。これら図中では、ジャケット２のフランクと正面並びに背面のセグメント５、６間の接合領域４が、延長領域１６に対応して、袖を構成するセグメント８、９間の接合領域４によって引き延ばされている。
【００３３】
弾性材は、本発明の範囲から逸脱することがなく、いかなる材料でもあり得る。従って、ライクラもしくは他の同等の材料のファイバーを挿入することによって弾性的に作られているものなど、いかなる材料が使用され得る。
【００３４】
クラッシックな弾性材の他に、弾性化された毛皮、弾性化されたサテン、またはその他が使用可能である。
【００３５】
代って、適切に弾性化されており、主要なセグメント３が形成されているのと同じ材料を使用し得る。
【００３６】
更なる変形は、更に、弾性部分１２が、セグメント３を構成する材料と同じ材料でできた片と、この片をセグメント３に接合する縫糸１５との組合せによって構成されるようにする。これは、材料が実質的に伸縮性の無い材料の場合でも適用される。
【００３７】
このようにして、伸縮性は、全縫い目に沿った縫い糸１５の分布の変形によって、与えられている。局部的なテンションに従って、テンション点に向かって引き戻されて、結果として前記領域内の利用できる縫糸が引き延ばされる。この結果、縫い目によって接合されたエッジ間の距離が増加されることが可能であり、かくして前記伸張されている領域内の衣服アイテム１の変形を確実にしている。２つの縫い目があるという事柄が、この効果を２倍にしている。このストレスがかからなくなると、縫糸１５は、最初の分布状態に従ってこれ自体の分布状態に戻り、衣服アイテム１を元の様相に戻す。
【００３８】
明らかに、上述したこの最後の解決策は、ある所定の適用では効果的である、弾性化された材料でできた部分1２の挿入よりも少ない伸縮性を確実にする。
【００３９】
有効的には、弾性材の色は、必要条件に応じて、セグメント３と同じもしくは異なり得る。
【００４０】
本発明のクラッシックな衣服アイテム１の着用者は、あらゆる動きを自由に行える。
【００４１】
ある動きが、所定の材料でできた２つのセグメント３の間の接合領域４の伸張を生じさせるとき、これらセグメントを接合している弾性材でできた部分１２は、弾性的に変形されて、着用者が動くことを容易にする。（図３）
本発明は、かくして重要な効果を達成する。
【００４２】
本発明の実質的にクラッシック裁断による衣服アイテムは、同等な従来のアイテムよりもずっと快適である。
【００４３】
本発明に従って製造されたアイテムを着用する者は、従来のアイテムを着用しているときよりもずっと自由に、アイテムを損傷する心配が全く無く、動ける。
【００４４】
また、本発明は、比較的容易に実行できて、本発明の実行に関わる費用もそれ程高くない、という点についても留意されるべきである。
【００４５】
本発明を、クラッシックな（即ち実質的に硬い）ハンドバッグに適用する場合、明確な規定内であるにも関わらず、可変のキャパシティーを有するハンドバッグを得ることができる。
【００４６】
このようにして考案された発明は、この発明を特徴付けている進歩的な構想の範囲を逸脱することなく、多数の変形と変更とを果たせる。
【００４７】
様々な構成要素の形状と寸法とは、必要条件に応じていかなるものでもあり得る他に、全ての構成要素は、他の技術的に同等の部材、並びに実際に使用されている全ての材料によって置換できる。
【図面の簡単な説明】
【００４８】
【図１】本発明に従って製造されたジャケットの正面図を示す。
【図２】図１のジャケットの背面図を示す。
【図３】人によって着用された図２のジャケットを示す。
【図４】衣服アイテムの外側から見た本発明の詳細を示す。
【図５】衣服アイテムの内側から見た図４の詳細を示す。
【図６】本発明の第１の実施形態の概略的断面を示す。
【図７】本発明の第２の実施形態の概略的断面を示す。
【図１】
2005503496.tif 000003
【図２】
2005503496.tif 000004
【図３】
2005503496.tif 000005
【図４】
2005503496.tif 000006
【図５】
2005503496.tif 000007
【図６】
2005503496.tif 000008
【図７】
2005503496.tif 000009
【国際公開パンフレット】
2005503496.tif 000010
2005503496.tif 000011
2005503496.tif 000012
2005503496.tif 000013
2005503496.tif 000014
2005503496.tif 000015
2005503496.tif 000016
2005503496.tif 000017
2005503496.tif 000018
2005503496.tif 000019
2005503496.tif 000020
2005503496.tif 000021
2005503496.tif 000022
2005503496.tif 000023
2005503496.tif 000024
【国際公開パンフレット（コレクトバージョン）】
2005503496.tif 000025
【手続補正書】
【提出日】平成15年4月10日(2003.4.10)
【手続補正１】
【補正対象書類名】特許請求の範囲
【補正対象項目名】全文
【補正方法】変更
【補正の内容】
【特許請求の範囲】
【請求項１】
複数の主要なセグメント（１３）並びに（１４）を有する層状の材料でできた複数のセグメント（３）を具備し、各々のセグメントが内面（１０）並びに外面（１１）を有しており、
前記セグメント（３）は、接合領域（４）に対応して互いに横方向で接続されており、また前記主要なセグメントの各々は、前記アイテムが使用されているとき、主に垂直な展開部を有する主要な接合領域（４）に対応して少なくとももう一方の主要なセグメントと接続された、クラッシックな裁断による衣服アイテムにおいて、
層状の材料でできた少なくとも１つの第１の主要なセグメント（１３）並びに第２の主要なセグメント（１４）によって区別された前記主要な接合領域（４）の１つに少なくとも対応して、弾性変形可能な材料でできた部分（１２）が、層状の材料でできた前記第１の主要なセグメント（１３）並びに前記第２の主要なセグメント（１４）に関連するようにこれらの間に介在されており、また、前記部分（１２）が、実質的には夫々の主要な接合領域の全域に沿って延びており、
前記弾性材でできた部分（１２）が、夫々の主要な接合領域（４）に面している前記セグメント（１３）並びに（１４）の各々に対して独立して縫い合わされており、そして、
前記弾性材でできた部分（１２）は、前記第１の主要なセグメント（１３）並びに前記第２の主要なセグメント（１４）が、第１の位置、つまりこれらセグメントが実質的に近接していて、前記アイテムが従来のものに見えるように、弾性材でできた前記部分（１２）を少なくとも部分的に隠すような第１の位置から、第２の位置へ、つまりこれらセグメントが離れていて、前記衣服アイテムを着用する者の動きを容易にするような第２の位置へ動くことを可能にすることを特徴としている、衣服アイテム。
【請求項２】
前記衣服アイテムは、第１並びに第２の主要な接合領域（４）に夫々対応して挿入された少なくとも２つの弾性的な部分（１２）を更に具備し、これら部分（１２）の各々は、夫々の接合領域の全域に沿って実質的に延びており、これら弾性的な部分（１２）は、前記第１の主要な接合領域が、前記第２の主要な接合領域によって延長されるように、延長領域（１６）に対応して互いに延長されていることを特徴とする、請求項１に記載の衣服アイテム。
【請求項３】
弾性材でできた前記部分（１２）は、夫々の主要なセグメント（１３）並びに（１４）に、内部で前記衣服アイテム（１）自体と関連していることを特徴とする、請求項１または２に記載の衣服アイテム。
【請求項４】
弾性材でできた前記部分（１２）は、夫々の主要なセグメント（１３）並びに（１４）の内面（１０）に縫い合わされていることを特徴とする、請求項１、２または３に記載の衣服アイテム。
【請求項５】
弾性材でできた前記部分（１２）は、夫々の主要なセグメント（１３）並びに（１４）の外面（１１）に縫い合わされていることを特徴とする、請求項１、２または３に記載の衣服アイテム。
【請求項６】
前記外面（１１）は、前記被服アイテム（１）自体の内側に向かって、前記接合領域に対応して、折り返されていることを特徴とする、請求項５に記載の衣服アイテム。
【請求項７】
前記弾性的な部分（１２）は、前記主要なセグメント（１３）並びに
（１４）が作られている材料と同じで、適切に弾性化されている材料で作られていることを特徴とする、先行の請求項のいずれか１に記載の衣服アイテム。
【請求項８】
前記第１の位置と対応して、前記弾性材でできた部分（１２）は、前記主要なセグメント（１３）並びに（１４）が第１の位置にあるとき、前記衣服アイテム（１）の外側から見た際に隠れるように、これら主要なセグメント（１３）並びに（１４）に完全に向き合うことを特徴とする、先行の請求項のいずれか１に記載の衣服アイテム。
【請求項９】
前記アイテムは、コートである先行の請求項のいずれか１に記載の衣服アイテム。
【請求項１０】
前記主要なセグメントは、少なくとも２つの正面セグメント（５）と、２つの背面セグメント（６）と、２つのフランク（７）と、スリーブの２つの上部パーツ（８）と、スリーブの２つの下部パーツ（９）とであり、前記正面セグメント（５）の各々は、前記フランク（７）に、正面接合領域（４）に対応して接続されており、前記背面セグメント（６）の各々は、一方は横の背面接合領域（４）に対応して前記フランク（７）と接続され、もう一方は、中央の背面接合領域（４）に対応して他方の背面セグメント（６）と接続されており、前記スリーブの上部パーツ（８）の各々は、夫々のスリーブの前記下部パーツ（９）に、スリーブの正面接合領域と背面接合領域とに夫々対応して接続されており、また、弾性変形可能な材料でできた部分（１２）は、背面接合領域（４）の各々に面したセグメント（６，７，８，９）間に介在されていて、実質的に前記背面領域の全域に沿ってこれらセグメントと関連しており、そして、弾性変形可能な材料でできた前記部分（１２）は、背面接合領域の各々に面した前記セグメント（６，７，８，９）が、これらセグメントが実質的に近接している第１の位置から、更に前記衣服アイテムを着用している者の動きを容易にするようにこれらセグメントが実質的に離れている第２の位置へ、動くことを可能にしていることとを特徴とする、請求項９記載の衣服アイテム。
【請求項１１】
前記衣服アイテムは、少なくとも前記正面接合領域（４）の各々に対応した、弾性変形可能な材料でできた部分（１２）を更に具備し、この部分（１２）は、夫々の正面接合領域に面したセグメント（５，７，８，９）間に介在されていて、実質的に前記正面接合領域の全域に沿ってこれらセグメントと関連しており、また、弾性材でできた前記部分（１２）は、前記正面接合領域（４）の各々に面した前記セグメント（５，７，８，９）の各々に対して独立して縫い合わされており、そして、前記弾性材でできた部分（１２）は、前記正面接合領域の各々と面した前記セグメント（５，７，８，９）が、これらセグメントが実質的に近接している第１の位置から、更に前記衣服アイテムを着用している者の動きを容易にするようにこれらセグメントが実質的に離れている第２の位置へ、動くことを可能にしていることとを特徴とする、請求項１０に記載の衣服アイテム。
【請求項１２】
前記横の背面接合領域（４）は、前記スリーブの背面接合領域によって、直接的に延長されていることを特徴とする、請求項１０または１１に記載の衣服アイテム。
【請求項１３】
前記正面接合領域（４）は、前記スリーブの正面接合領域によって、直接的に延長されていることを特徴とする、請求項１１に記載の衣服アイテム。
【請求項１４】
前記コートは、ジャケットである請求項９ないし１３のいずれか１に記載の衣服アイテム。
【国際調査報告】
2005503496.tif 000026
2005503496.tif 000027
2005503496.tif 000028